(57)【要約】【課題】  撮影者の意図を即座に反映させることができ、使い勝手を飛躍的に向上させることができる撮像装置を提供する。【解決手段】  デジタルカメラ２は、デジタルカメラ２本体と撮影者との距離Ｄ1を測定する第１測距センサ３１、デジタルカメラ２本体と被写体との距離Ｄ2を測定する第２測距センサ３２、第１、第２測距センサ３１、３２の各測距結果、およびＬＣＤ１７の表示画面１７ａの幅Ｗから、撮影者が被写体を見た実際の大きさと、ＬＣＤ１７に表示されるスルー画像の表示の大きさとが一致する画角θを算出する画角算出回路３３を備える。第１レンズモータ３４は、ＣＰＵ３０を介した第１モータドライバ３８の制御の下に、画角算出回路３３で算出された画角θとなる位置に、撮像光学系１０の光軸Ｌに沿ってズームレンズ１０ｂを移動させる。【選択図】        図３
2007043292.tif 000002
【特許請求の範囲】
【請求項１】
撮像光学系を透過した被写体光を撮像して得られた撮像信号をデジタルの画像データに変換し、この画像データで表される画像を画像表示手段にスルー画像として表示する撮像装置において、
撮影者との距離を測定する第１測距手段と、
前記第１測距手段の測距結果に応じて、画角を変更する画角変更手段とを備えたことを特徴とする撮像装置。
【請求項２】
前記画角変更手段は、前記撮像光学系に含まれるズームレンズを移動させることで、前記画角を変更することを特徴とする請求項１に記載の撮像装置。
【請求項３】
前記画角変更手段は、前記画像データに電子的な変倍処理を施すことで、前記画角を変更することを特徴とする請求項１または２に記載の撮像装置。
【請求項４】
被写体との距離を測定する第２測距手段と、
前記第１測距手段、および前記第２測距手段の各測距結果に基づいて、前記撮影者が前記被写体を見た実際の大きさと、前記スルー画像の表示の大きさとが一致する画角を算出する画角算出手段とを備え、
前記画角変更手段は、前記画角算出手段で算出された画角となるように、前記画角を変更することを特徴とする請求項１ないし３のいずれかに記載の撮像装置。
【請求項５】
前記撮像光学系に含まれるフォーカスレンズを合焦位置に移動させる焦点調整を行う焦点調整手段を備え、
前記焦点調整手段は、前記第２測距手段の測距結果が一定値以上変化したときに、その都度前記焦点調整を行うことを特徴とする請求項４に記載の撮像装置。
【請求項６】
前記第１測距手段の測距結果が、前記画角変更手段で画角を変更することが可能な、前記撮影者との距離の範囲の上下限を超えた場合、前記画角変更手段は、前記上下限における画角に止め、画角を変更しないことを特徴とする請求項１ないし５のいずれかに記載の撮像装置。
【請求項７】
前記画角変更手段には、前記第１測距手段の測距結果が、前記画角変更手段で画角を変更することが可能な、前記撮影者との距離の範囲の下限における画角が初期設定されており、
前記画角変更手段は、前記画像データに電子的な変倍を施すことで、前記画角を変更することを特徴とする請求項１ないし６のいずれかに記載の撮像装置。
【請求項８】
前記第１測距手段の測距結果が、前記画角変更手段で画角を変更することが可能な、前記撮影者との距離の範囲の上下限を超えた旨を警告する警告手段を備えたことを特徴とする請求項１ないし７のいずれかに記載の撮像装置。
【請求項９】
前記撮影者が離れた場所から遠隔操作を行うための遠隔操作装置を備え、
前記遠隔操作装置は、撮像装置本体との距離を測定する第３測距手段を有し、
前記画角変更手段は、前記遠隔操作装置から前記第３測距手段の測距結果が送信されたときに、この送信された測距結果に応じて、前記画角を変更することを特徴とする請求項１ないし８のいずれかに記載の撮像装置。
【請求項１０】
前記画像表示手段は、その表示画面の中心が前記撮像光学系の光軸と略一致するように設けられていることを特徴とする請求項１ないし９のいずれかに記載の撮像装置。
【発明の詳細な説明】
【技術分野】
【０００１】
本発明は、ズーム機能を備えた撮像装置に関する。
【背景技術】
【０００２】
撮像装置として、ＣＣＤなどの固体撮像素子で撮像した被写体像をデジタルの画像データに変換し、内蔵メモリやメモリカードなどの記憶媒体に記憶するデジタルカメラやカメラ付き携帯電話が普及している。このような撮像装置の多くは、ズームレンズを利用した光学ズーム機能や、画像データを電子的に変倍処理する電子ズーム機能を備えている。
【０００３】
上記のようなズーム機能を備えた撮像装置として、電子ズームを用いた変倍を簡単且つ的確に行うために、複数の操作部材で異なる操作をすることで、光学ズームと電子ズームとを使い分けるようにしたものが提案されている（特許文献１参照）。
【特許文献１】特開２００２−９４８６６号公報
【発明の開示】
【発明が解決しようとする課題】
【０００４】
しかしながら、特許文献１に記載の装置では、用途に応じて操作する部材を選択する必要があるため、操作が返って面倒であり、撮影者の意図を即座に反映させることができないという問題があった。
【０００５】
本発明は、上記課題を鑑みてなされたものであり、撮影者の意図を即座に反映させることができ、使い勝手を飛躍的に向上させることができる撮像装置を提供することを目的とする。
【課題を解決するための手段】
【０００６】
上記目的を達成するために、本発明は、撮像光学系を透過した被写体光を撮像して得られた撮像信号をデジタルの画像データに変換し、この画像データで表される画像を画像表示手段にスルー画像として表示する撮像装置において、撮影者との距離を測定する第１測距手段と、前記第１測距手段の測距結果に応じて、画角を変更する画角変更手段とを備えたことを特徴とする。
【０００７】
前記画角変更手段は、前記撮像光学系に含まれるズームレンズを移動させることで、前記画角を変更することが好ましい。
【０００８】
前記画角変更手段は、前記画像データに電子的な変倍処理を施すことで、前記画角を変更することが好ましい。
【０００９】
被写体との距離を測定する第２測距手段と、前記第１測距手段、および前記第２測距手段の各測距結果に基づいて、前記撮影者が前記被写体を見た実際の大きさと、前記スルー画像の表示の大きさとが一致する画角を算出する画角算出手段とを備え、前記画角変更手段は、前記画角算出手段で算出された画角となるように、前記画角を変更することが好ましい。
【００１０】
前記撮像光学系に含まれるフォーカスレンズを合焦位置に移動させる焦点調整を行う焦点調整手段を備え、前記焦点調整手段は、前記第２測距手段の測距結果が一定値以上変化したときに、その都度前記焦点調整を行うことが好ましい。
【００１１】
前記第１測距手段の測距結果が、前記画角変更手段で画角を変更することが可能な、前記撮影者との距離の範囲の上下限を超えた場合、前記画角変更手段は、前記上下限における画角に止め、画角を変更しないことが好ましい。
【００１２】
前記画角変更手段には、前記第１測距手段の測距結果が、前記画角変更手段で画角を変更することが可能な、前記撮影者との距離の範囲の下限における画角が初期設定されており、前記画角変更手段は、前記画像データに電子的な変倍を施すことで、前記画角を変更することが好ましい。
【００１３】
前記第１測距手段の測距結果が、前記画角変更手段で画角を変更することが可能な、前記撮影者との距離の範囲の上下限を超えた旨を警告する警告手段を備え警告手段を備えることが好ましい。
【００１４】
前記撮影者が離れた場所から遠隔操作を行うための遠隔操作装置を備え、前記遠隔操作装置は、撮像装置本体との距離を測定する第３測距手段を有し、前記画角変更手段は、前記遠隔操作装置から前記第３測距手段の測距結果が送信されたときに、この送信された測距結果に応じて、前記画角を変更することが好ましい。
【００１５】
前記画像表示手段は、その表示画面の中心が前記撮像光学系の光軸と略一致するように設けられていることが好ましい。
【発明の効果】
【００１６】
本発明の撮像装置によれば、撮影者との距離を測定する第１測距手段と、第１測距手段の測距結果に応じて、画角を変更する画角変更手段とを備えたので、撮影者が撮像装置本体を移動させるだけで、画角を変更することができる。したがって、撮影者の意図を即座に反映させることができ、使い勝手を飛躍的に向上させることができる。
【発明を実施するための最良の形態】
【００１７】
図１および図２において、デジタルカメラ２の前面には、撮像光学系１０を保持するレンズ鏡胴１１が組み込まれている。また、被写体にストロボ光を照射するストロボ発光窓１２、および後述する第２測距センサ３２（図３参照）が内部に組み込まれた測距窓１３が配されている。
【００１８】
デジタルカメラ２の上面には、レリーズボタン１４、およびモードダイヤル１５が設けられており、側面には、メモリカード５５（図３参照）が着脱自在に装填されるメモリカードスロットを覆う蓋１６が設けられている。
【００１９】
デジタルカメラ２の背面には、液晶表示器（ＬＣＤ）１７、操作部１８、および後述する第１測距センサ３１（図３参照）が内部に組み込まれた測距窓１９が設けられている。ＬＣＤ１７は、撮影した画像やいわゆるスルー画像、各種メニュー画面を表示する。操作部１８は、デジタルカメラ２の電源をオン・オフするための電源ボタン、ＬＣＤ１７にメニュー画面を表示させる際や、選択内容を決定する際に操作されるメニューボタン、およびメニュー画面内でカーソルを移動させる十字キーなどから構成される。
【００２０】
デジタルカメラ２では、静止画撮影を行う静止画撮影モード、動画撮影を行う動画撮影モード、撮影した画像をＬＣＤ１７に表示する再生モード、および各種設定を行う設定モードが選択可能となっている。これらのモードの切り替えは、モードダイヤル１５を回動操作させることで行われる。動画撮影モードでは、動画の撮影とともに、図示しないマイクロホンを介して周囲の音声が収録される。
【００２１】
レリーズボタン１４は、２段階押しのスイッチとなっている。ＬＣＤ１７による被写体のフレーミングの後に、レリーズボタン１４を軽く押圧（半押し）すると、自動露出調整（ＡＥ）、自動焦点調整（ＡＦ）などの各種撮影準備処理が施される。この状態でレリーズボタン１４をもう１度強く押圧（全押し）すると、撮影準備処理が施された１画面分の撮像信号が画像データに変換された後、後述する画像処理および圧縮処理が施され、メモリカード５５に記憶される。
【００２２】
デジタルカメラ２の電気的構成を示す図３において、ＣＰＵ３０は、デジタルカメラ２各部の動作を統括的に制御する。ＣＰＵ３０には、前述の第１、第２測距センサ３１、３２が接続されている。第１測距センサ３１は、デジタルカメラ２本体と撮影者との距離Ｄ1を、第２測距センサ３２は、デジタルカメラ２本体と被写体との距離Ｄ2をそれぞれ測定し、測距結果をＣＰＵ３０内の画角算出回路３３に送信する。これらの測距センサ３１、３２は、例えば、測距光として近赤外光を撮影者または被写体に投光し、撮影者または被写体からの反射光を受光するフォトセンサからなる。
【００２３】
画角算出回路３３は、第１、第２測距センサ３１、３２の各測距結果（距離Ｄ1、Ｄ2）、およびＬＣＤ１７の表示画面１７ａの幅Ｗ（図２参照）から、撮影者が被写体を見た実際の大きさと、ＬＣＤ１７に表示されるスルー画像の表示の大きさとが一致する画角θを算出する。
【００２４】
画角θは、撮影者が被写体を見た実際の大きさと、ＬＣＤ１７に表示されるスルー画像の表示の大きさとが一致する条件下における、撮影者、デジタルカメラ２、および被写体の、図４に模式的に示す位置関係から導き出される次式、
θ＝２×ｔａｎ-1｛Ｗ・（Ｄ1＋Ｄ2）／２Ｄ1・Ｄ2｝
で表される。画角算出回路３３は、第１、第２測距センサ３１、３２から送信される距離Ｄ1、Ｄ2、および既知の値である表示画面１７ａの幅Ｗを上式に代入して計算することで、画角θを求める。
【００２５】
図３に戻って、撮像光学系１０は、主レンズ１０ａ、ズームレンズ１０ｂ、およびフォーカスレンズ１０ｃからなる。ズームレンズ１０ｂとフォーカスレンズ１０ｃには、それぞれ第１、第２レンズモータ３４、３５が接続されている。また、絞り３６には、絞り３６を動作させて露出調整を行うアイリスモータ３７が接続されている。これらのモータ３４、３５、３７はステッピングモータからなり、ＣＰＵ３０に接続された第１〜第３モータドライバ３８〜４０から送信される駆動パルスにより動作制御され、レリーズボタン１４の半押しに伴う撮影準備処理を行う。
【００２６】
第１レンズモータ３４は、ＣＰＵ３０を介した第１モータドライバ３８の制御の下に、画角算出回路３３で算出された画角θとなる位置に、撮像光学系１０の光軸Ｌに沿ってズームレンズ１０ｂを移動させる。図５に示すように、撮影者が腕を伸ばしてデジタルカメラ２を被写体側に構えたときには、ズームレンズ１０ｂはテレ端側に移動され、望遠撮影が可能となる。一方、図６に示すように、撮影者がデジタルカメラ２を手前に引いて構えたときには、ズームレンズ１０ｂはワイド端側に移動され、広角撮影が可能となる。
【００２７】
第２レンズモータ３５は、ＣＰＵ３０を介した第２モータドライバ３９の制御の下に、第２測距センサ３２の測距結果（距離Ｄ2）が一定値以上変化したときに、その都度、フォーカスレンズ１０ｃを合焦位置に移動させる焦点調整を行う。具体的には、初期状態のときの距離Ｄ2をＣＰＵ内のＲＡＭなどに基準データとしてストックしておき、この基準データと第２測距センサ３２からの測距結果との差分をとる。そして、差分が一定値以上となったときに焦点調整を行わせ、且つストックされていた基準データを、得られた距離Ｄ2に書き換えて新たな基準データとし、これらの処理を繰り返す。
【００２８】
撮像光学系１０の背後には、撮像光学系１０を透過した被写体光が撮像されるＣＣＤ４１が配置されている。ＣＣＤ４１には、ＣＰＵ３０によって制御されるタイミングジェネレータ（ＴＧ）４２が接続され、このＴＧ４２から入力されるタイミング信号（クロックパルス）により、電子シャッタのシャッタ速度が決定される。
【００２９】
ＣＣＤ４１から出力された撮像信号は、相関二重サンプリング回路（ＣＤＳ）４３に入力される。ＣＤＳ４３は、ＣＣＤ４１の各セルの蓄積電荷量に正確に対応したＲ、Ｇ、Ｂの画像データを出力する。増幅器（ＡＭＰ）４４は、ＣＤＳ４３から出力された画像データを、所定のゲインで増幅する。Ａ／Ｄ変換器（Ａ／Ｄ）４５は、ＡＭＰ４４で増幅されたアナログの画像データを、デジタルの画像データに変換する。
【００３０】
画像入力コントローラ４６は、バス４７を介してＣＰＵ３０に接続され、ＣＰＵ３０の制御命令に応じて、ＣＣＤ４１、ＣＤＳ４３、ＡＭＰ４４、およびＡ／Ｄ４５を制御する。Ａ／Ｄ４５から出力された画像データは、ＳＤＲＡＭ４８に一時記録される。
【００３１】
画像信号処理回路４９は、ＳＤＲＡＭ４８から画像データを読み出して、階調変換、ホワイトバランス補正、γ補正処理などの各種画像処理を施し、この画像データを再度ＳＤＲＡＭ４８に記録する。ＹＣ変換処理回路５０は、画像信号処理回路４９で各種処理を施された画像データをＳＤＲＡＭ４８から読み出し、輝度信号Ｙと色差信号Ｃｒ、Ｃｂとに変換する。
【００３２】
ＶＲＡＭ５１は、ＬＣＤ１７にスルー画像を出力するためのメモリであり、画像信号処理回路４９、ＹＣ変換処理回路５０を経た画像データを格納する。ＶＲＡＭ５１には、画像データの書き込みと読み出しを並行して行えるように、２フレーム分のメモリ５１ａ、５１ｂが確保されている。ＶＲＡＭ５１に格納された画像データは、ＬＣＤドライバ５２でアナログのコンポジット信号に変換され、ＬＣＤ１７にスルー画像として表示される。
【００３３】
電子変倍処理回路５２は、ズームレンズ１０ｂがテレ端に位置していて、光学ズームが限界であるときに、撮影者がデジタルカメラ２を被写体側にさらに近付けた場合に、ズームレンズ１０ｂがテレ端に位置している状態で取り込まれた画像から、画角算出回路３３で算出された画角θに応じた大きさの画像を切り出すことで、画像データに電子的な変倍処理を施す。
【００３４】
圧縮伸長処理回路５３は、ＹＣ変換処理回路５０でＹＣ変換された画像データに対して、所定の圧縮形式（例えばＪＰＥＧ形式）で画像圧縮を施す。圧縮された画像データは、メディアコントローラ５４を経由してメモリカード５５に記憶される。
【００３５】
ＣＰＵ３０には、前述のレリーズボタン１４、操作部１８、第１、第２測距センサ３１、３２の他に、ＥＥＰＲＯＭ５６が接続されている。ＥＥＰＲＯＭ５６には、各種制御用のプログラムや設定情報などが記録されている。ＣＰＵ３０は、これらの情報をＥＥＰＲＯＭ５６から作業用メモリであるＳＤＲＡＭ４８に読み出して、各種処理を実行する。
【００３６】
バス４７には、露出量、すなわち電子シャッタのシャッタ速度、および絞り３６の絞り値が撮影に適切か否かを検出するとともに、ホワイトバランスが撮影に適切か否かを検出するＡＥ／ＡＷＢ検出回路５７、フォーカスレンズ１０ｃの焦点調整が撮影に適切か否かを検出するＡＦ検出回路５８、およびストロボ装置５９の動作を制御するストロボ制御回路６０が接続されている。
【００３７】
ＡＥ／ＡＷＢ検出回路５７は、ＹＣ変換処理回路５０でＹＣ変換された画像データの輝度信号Ｙと色差信号Ｃｒ、Ｃｂとの積算値を元に、露出量、およびホワイトバランスの適否を検出し、この検出結果をＣＰＵ３０に送信する。ＡＦ検出回路５８は、第２測距センサ３２の測距結果から、演算式などを用いてフォーカスレンズ１０ｃの合焦位置を検出し、この検出結果をＣＰＵ３０に送信する。ＣＰＵ３０は、ＡＥ／ＡＷＢ検出回路５７、ＡＦ検出回路５８から送信された検出結果に基づいて、撮像光学系１０、絞り３６、およびＣＣＤ４１の動作を制御する。
【００３８】
次に、上記構成を有するデジタルカメラ２の動作について、図７のフローチャートを参照して説明する。まず、デジタルカメラ２で被写体の撮影を行う際には、電源スイッチを操作してデジタルカメラ２の電源を投入し、モードダイヤル１５を操作して静止画撮影モード、あるいは動画撮影モードを選択する。
【００３９】
撮影モード下において、撮像レンズ１０、絞り３６を介して入射した被写体光は、ＣＣＤ４１により光電変換され、ＣＤＳ４３でサンプリングされる。ＣＤＳ４３から出力された画像データは、ＡＭＰ４４で増幅され、Ａ／Ｄ４５でデジタルの画像データに変換される。
【００４０】
デジタル変換された画像データは、画像信号処理回路４９で各種画像処理が施された後、画像入力コントローラ４６を介してＳＤＲＡＭ４８に順次記録される。ＳＤＲＡＭ４８に記録された画像データは、ＹＣ変換処理回路５０に読み出され、輝度信号Ｙと色差信号Ｃｒ、Ｃｂとに変換された後、ＶＲＡＭ５１に格納され、ＬＣＤドライバ５２を介してＬＣＤ１７にスルー画像として表示される。この状態でレリーズボタン１４が半押しされると、ＡＥ／ＡＷＢ検出回路５７、ＡＦ検出回路５８の検出結果に基づいて、ＣＰＵ３０により各部の動作が制御され、撮影準備処理が施される。
【００４１】
撮影準備処理後、レリーズボタン１４の全押しにより撮影が実行されると、静止画撮影モード下では、そのときＳＤＲＡＭ４８に記録されている画像データが圧縮伸長処理回路５３で圧縮処理され、メディアコントローラ５４を経由してメモリカード５５に記憶される。
【００４２】
一方、動画撮影モード下では、レリーズボタン１４が再度全押しされるまで、一定のフレームレート（例えば３０フレーム／秒）で画像データが記憶される。また、これと同時にマイクロホンを介して周囲の音声が収録される。マイクロホンで収録された音声は、画像データと関連付けられてメモリカード５５に記憶される。
【００４３】
図７において、撮影モード下では、デジタルカメラ２本体と撮影者との距離Ｄ1、デジタルカメラ２本体と被写体との距離Ｄ2が第１、第２測距センサ３１、３２により測定され、これらの測距結果が画角算出回路３３に順次送信されている。
【００４４】
画角算出回路３３では、第１、第２測距センサ３１、３２からの測距結果、およびＬＣＤ１７の表示画面の幅Ｗから、撮影者が被写体を見た実際の大きさと、ＬＣＤ１７に表示されるスルー画像の表示の大きさとが一致する画角θが算出される。
【００４５】
画角算出回路３３で算出された画角θが、ズームレンズ１０ｂによる光学ズームの限界に達している場合は、電子変倍処理回路５２により、ズームレンズ１０ｂがテレ端に位置している状態で取り込まれた画像から、画角算出回路３３で算出された画角θに応じた大きさの画像が切り出され、画像データに電子変倍処理が施される。
【００４６】
一方、画角算出回路３３で算出された画角θが、ズームレンズ１０ｂによる光学ズームの限界に達していない場合は、ＣＰＵ３０を介した第１モータドライバ３８の制御の下に、第１レンズモータ３４により、画角算出回路３３で算出された画角θとなる位置にズームレンズ１０ｂが移動される。
【００４７】
ここで、第２測距センサ３２の測距結果（距離Ｄ2）が一定値以上変化した場合は、ＣＰＵ３０を介した第２モータドライバ３９の制御の下に、第２レンズモータ３５により、フォーカスレンズ１０ｃが合焦位置に移動される。距離Ｄ2が一定値以上変化していない場合は、第２レンズモータ３５は作動されない。レリーズボタン１４が半押しされて撮影準備処理が施されるまで、ＬＣＤ１７の表示画面１７ａには、撮影者が被写体を見た実際の大きさでスルー画像が表示される。
【００４８】
以上説明したように、デジタルカメラ２は、第１測距センサ３１で測定される撮影者との距離Ｄ1に応じて、画角θを変更するようにしたので、ズーム操作部材を操作しなければならない従来のデジタルカメラと比べて、ズーム操作が簡便になる。
【００４９】
また、撮影者が被写体を見た実際の大きさと、ＬＣＤ１７によるスルー画像の表示の大きさとを一致させるようにしたので、撮影者が被写体を見た実際の大きさとスルー画像の大きさが違うことによるフレーミングの際の不便や違和感を解消することができる。特に、スルー画像に写らない被写体の周囲を確認したいときや、撮影環境が極端に明るい、または暗い場合に有効である。
【００５０】
なお、撮影者との距離の範囲の上下限を距離Ｄ1が超えた場合は、上下限の値における画角に止め、画角の変更を行わないようにすることが好ましい。このようにすれば、撮影者が第１測距センサの測定範囲から外れるなどして、距離Ｄ1が無限大になった場合や、デジタルカメラ本体と撮影者との距離が近過ぎた場合に、画角の変更に伴う余計な動作を行わせずに済み、省電力化を実現することができる。なお、距離Ｄ1の上限の値は、例えば、撮影者が腕をいっぱいに伸ばした状態の距離、下限の値は、例えば、ＬＣＤ１７の表示画面１７ａに撮影者の眼のピントが合う距離がそれぞれ予め設定される。
【００５１】
また、下限の値における画角、つまりズームレンズ１０ｂがワイド端に位置する状態で最初に画像データを取り込み、その後の画角の変更を電子ズーム処理で行うようにしてもよい。これにより、光学ズーム処理に掛かる電力を省くことができる。
【００５２】
また、撮影者との距離の範囲の上下限を距離Ｄ1が超えた場合に、例えば図８に示すように、ＬＣＤ１７にその旨を示す警告メッセージ７０を表示して、撮影者に警告するようにしてもよい。なお、警告の方法としては、上記警告メッセージ７０の他に、警告灯や、音、振動による警告手段を用いてもよい。これにより、撮影者が意図に合わない撮影をしてしまうことを未然に防ぐことができる。
【００５３】
また、図９に示すように、撮影者が離れた場所から遠隔操作を行うためのリモートコントローラ８０を備えていた場合、リモートコントローラ８０に、デジタルカメラ２本体との距離を測定する第３測距センサ８１を設け、リモートコントローラ８０から第３測距センサ８１の測距結果が送信されたときに、この送信された測距結果に応じて画角を変更してもよい。なお、符号８２は、リモートコントローラ８０からの信号を受信する受信器が内部に組み込まれた受信窓である。
【００５４】
さらに、図１０に示すように、表示画面１７ａの中心Ｏが撮像光学系１０の光軸Ｌと略一致するように、ＬＣＤ１７を設けることが好ましい。このようにすると、撮影者が実際に見た被写体とスルー画像との間の視差が無くなるので、より撮影者の意図に合った撮影を行うことができる。
【００５５】
上記実施形態では、第２測距センサ３２でデジタルカメラ２本体と被写体との距離Ｄ2を測定し、この測距結果を元に焦点調整を行っているが、画像データから画像の鮮鋭度を表すフォーカス評価値を算出し、この算出結果を元に焦点調整を行って、フォーカスレンズ１０ｃの合焦位置から距離Ｄ2を求めてもよい。この場合、第２測距センサ３２が不要となるので、部品コストを削減することができる。
【００５６】
上記実施形態では、撮影者が被写体を見た実際の大きさと、ＬＣＤ１７によるスルー画像の表示の大きさとを一致させるようにしたが、本発明の撮像装置は、少なくとも撮影者との距離Ｄ1に応じて画角を変更すればよく、上記の手法を用いない場合は、上記実施形態の場合とは逆に、撮像装置を被写体側に移動させたときに広角撮影を行えるようにし、撮影者側に移動させたときに望遠撮影を行わせるようにしてもよい。
【００５７】
上記実施形態では、撮像装置として、デジタルカメラ２を例示して説明したが、本発明はこれに限定されず、他の撮像装置、例えば、カメラ付き携帯電話などにも適用することができる。
【図面の簡単な説明】
【００５８】
【図１】本発明のデジタルカメラの正面外観斜視図である。
【図２】デジタルカメラの背面外観斜視図である。
【図３】デジタルカメラの電気的構成を示すブロック図である。
【図４】撮影者が被写体を見た実際の大きさと、ＬＣＤに表示されるスルー画像の表示の大きさとが一致する条件下における、撮影者、デジタルカメラ、および被写体の位置関係を示す模式図である。
【図５】望遠撮影時の様子を示す説明図である。
【図６】広角撮影時の様子を示す説明図である。
【図７】撮影モード下における処理手順を示すフローチャートである。
【図８】撮影者との距離の範囲の上下限を距離Ｄ1が超えたことを示す警告メッセージを、ＬＣＤに表示した状態を示す説明図である。
【図９】リモートコントローラを備えた場合の実施形態を示す図である。
【図１０】ＬＣＤの表示画面の中心を撮像光学系の光軸と略一致させた場合の実施形態示す図である。
【符号の説明】
【００５９】
２  デジタルカメラ
１０  撮像光学系
１０ｂ  ズームレンズ
１０ｃ  フォーカスレンズ
１４  レリーズボタン
１７  液晶表示器（ＬＣＤ）
１７ａ  表示画面
３０  ＣＰＵ
３１  第１測距センサ
３２  第２測距センサ
３３  画角算出回路
３４  第１レンズモータ
３５  第２レンズモータ
３８  第１モータドライバ
３９  第２モータドライバ
４１  ＣＣＤ
５２  電子変倍処理回路
５５  メモリカード
７０  警告メッセージ
８０  リモートコントローラ
８１  第３測距センサ
【図１】
2007043292.tif 000003
【図２】
2007043292.tif 000004
【図３】
2007043292.tif 000005
【図４】
2007043292.tif 000006
【図５】
2007043292.tif 000007
【図６】
2007043292.tif 000008
【図７】
2007043292.tif 000009
【図８】
2007043292.tif 000010
【図９】
2007043292.tif 000011
【図１０】
2007043292.tif 000012